【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
方法において、
検体と液体接触するように検体センサを配置する工程、
前記配置後の所定の期間中に前記検体センサからの信号における減退を検出する工程、
前記検体センサ信号の１つ以上の特徴に少なくともある程度は基づいて前記検体センサ信号における前記検出された減退をカテゴリー分類する工程、及び
前記所定の期間中に前記検出された検体センサ信号に関係付けられた報告可能データを生成するために信号処理を実施する工程、
を含むことを特徴とする方法。
【請求項２】
前記検体センサからの前記信号が監視される検体レベルに関係付けられることを特徴とする請求項１に記載の方法。
【請求項３】
前記検体センサからの前記信号における前記検出された減退が初期信号減退状態に関係付けられることを特徴とする請求項１に記載の方法。
【請求項４】
前記所定の期間がほぼ２４時間をこえないことを特徴とする請求項１に記載の方法。
【請求項５】
前記検出された検体センサ信号減退をカテゴリー分類する前記工程が所定の複数の信号減退状態に少なくともある程度は基づくことを特徴とする請求項１に記載の方法。
【請求項６】
前記複数の信号減退状態が、報告可能信号状態、条件付報告可能信号状態及び報告不能信号状態を含むことを特徴とする請求項５に記載の方法。
【請求項７】
前記検出された検体センサ信号減退が前記報告可能信号状態または前記条件付報告可能信号状態を含む場合に、前記検出された検体センサ信号に基づいて前記監視される検体レベルに関連付けられたデータを出力する工程を含むことを特徴とする請求項６に記載の方法。
【請求項８】
前記監視される検体レベルに関連付けられたデータを出力する前記工程が、前記検出された検体センサ信号減退が前記条件付報告可能状態を含む場合に、あらかじめ設定された期間の間データを出力する工程を含むことを特徴とする請求項７に記載の方法。
【請求項９】
前記あらかじめ設定された期間がほぼ２時間をこえないことを特徴とする請求項８に記載の方法。
【請求項１０】
前記あらかじめ設定された期間中に参照血糖測定値を要求する工程を含むことを特徴とする請求項８に記載の方法。
【請求項１１】
前記あらかじめ設定された期間中に受け取られた前記参照血糖測定値に少なくともある程度は基づいて前記検体センサ信号を較正する工程を含むことを特徴とする請求項１０に記載の方法。
【請求項１２】
前記あらかじめ設定された期間の満了後は前記監視される検体レベルに関連付けられた前記データの前記出力を無効にする工程を含むことを特徴とする請求項８に記載の方法。
【請求項１３】
信号処理を実施する前記工程が、
参照データを要求する工程、及び
前記参照データに基づいて前記検体センサに関係付けられる感度値を決定する工程、
を含むことを特徴とする請求項１に記載の方法。
【請求項１４】
前記参照データが管内血糖測定データを含むことを特徴とする請求項１３に記載の方法。
【請求項１５】
前記決定された感度値に少なくともある程度は基づいて前記検体センサを較正する工程を含むことを特徴とする請求項１３に記載の方法。
【請求項１６】
装置において、
データ通信インターフェース、
前記データ通信インターフェースに動作可能な態様で接続された１つ以上のプロセッサ、及び
前記１つ以上のプロセッサによって実行されると、検体と液体接触する検体センサの配置、前記配置後の所定の期間中の前記検体センサからの信号における減退の検出、前記信号の１つ以上の特徴に少なくともある程度は基づく前記検体センサ信号における前記検出された減退のカテゴリー分類及び前記所定の期間中の前記検出された検体センサ信号に関係付けられる報告可能データを生成するための信号処理の実施を前記１つ以上にプロセッサに行わせる命令を格納するためのメモリ、
を備えることを特徴とする装置。
【請求項１７】
前記検体センサからの前記信号が監視される検体レベルに関係付けられることを特徴とする請求項１６に記載の装置。
【請求項１８】
前記検体センサからの前記信号における前記検出された減退が初期信号減退状態に関係付けられることを特徴とする請求項１６に記載の装置。
【請求項１９】
前記所定の期間がほぼ２４時間をこえないことを特徴とする請求項１６に記載の装置。
【請求項２０】
前記メモリが、前記１つ以上のプロセッサによって実行されると、所定の複数の信号減退状態に少なくともある程度は基づく前記検出された検体センサ信号減退のカテゴリー分類を前記１つ以上のプロセッサに行わせる命令を格納することを特徴とする請求項１６に記載の装置。
【請求項２１】
前記複数の信号減退状態が、報告可能信号状態、条件付報告可能信号状態及び報告不能信号状態を含むことを特徴とする請求項２０に記載の装置。
【請求項２２】
前記メモリが、前記１つ以上のプロセッサによって実行されると、前記検出された検体センサ信号減退が前記報告可能信号状態または前記条件付報告可能信号状態を含む場合に前記検出された検体センサ信号に基づいて前記監視される検体レベルに関係付けられたデータの出力を前記１つ以上のプロセッサに行わせる命令を格納することを特徴とする請求項２１に記載の装置。
【請求項２３】
前記メモリが、前記１つ以上のプロセッサによって実行されると、前記検出された検体センサ信号減退が前記条件付報告可能信号状態を含む場合にあらかじめ設定された期間の間のデータの出力を前記１つ以上のプロセッサに行わせる命令を格納することを特徴とする請求項２２に記載の装置。
【請求項２４】
前記あらかじめ設定された期間がほぼ２時間をこえないことを特徴とする請求項２３に記載の装置。
【請求項２５】
前記メモリが、前記１つ以上のプロセッサによって実行されると、前記あらかじめ設定された期間中に参照血糖測定値の要求を前記１つ以上のプロセッサに行わせる命令を格納することを特徴とする請求項２３に記載の装置。
【請求項２６】
前記メモリが、前記１つ以上のプロセッサによって実行されると、前記あらかじめ設定された期間中に受け取られた前記参照血糖測定値に少なくともある程度は基づく前記検体センサ信号の較正を前記１つ以上のプロセッサに行わせる命令を格納することを特徴とする請求項２５に記載の装置。
【請求項２７】
前記メモリが、前記１つ以上のプロセッサによって実行されると、前記あらかじめ設定された期間の満了後に、前記監視される検体レベルに関係付けられた前記データの前記出力の無効化を前記１つ以上のプロセッサに行わせる命令を格納することを特徴とする請求項２３に記載の装置。
【請求項２８】
前記メモリが、前記１つ以上のプロセッサによって実行されると、参照データの要求及び前記参照データに基づく前記検体センサに関係付けられた感度値の決定を前記１つ以上のプロセッサに行わせる命令を格納することを特徴とする請求項１６に記載の装置。
【請求項２９】
前記参照データが管内血糖測定データを含むことを特徴とする請求項２８に記載の装置。
【請求項３０】
前記メモリが、前記１つ以上のプロセッサによって実行されると、前記決定された感度値に少なくともある程度は基づく前記検体センサの較正を前記１つ以上のプロセッサに行わせる命令を格納することを特徴とする請求項２８に記載の装置。
【請求項３１】
プロセッサ読取可能コードが格納された１つ以上の記憶装置において、前記プロセッサ読取可能コードが検体レベルを評価するために１つ以上のプロセッサをプログラムするためのコードであって、
検体と液体接触する検体センサの配置
前記配置後の所定の期間中の前記検体センサからの信号における減退の検出
前記検体センサ信号の１つ以上の特徴に少なくともある程度は基づく前記検体センサ信号における前記検出された減退のカテゴリー分類、及び
前記所定の期間中に前記検出された検体センサ信号に関係付けられる報告可能データを生成するための信号処理の実施、
を含むことを特徴とする１つ以上の記憶装置。